(57)【要約】【課題】  切込破線の形成の仕方を工夫することにより、この切込破線の切れ目に応力が集中することを原因とした裂け破れを防止することができるようにしたロール状連続袋体の提供。【解決手段】  多数枚の袋体１が切込破線２により一連に連結された連続袋体１０が巻き取られ、前記切込破線からの切り離しによって、袋体の開口部の両側に取っ手４を形成させると共に、この両取っ手の間に谷部５を介してフラップ６を形成させるように、前記切込破線が形成されているロール状連続袋体である。谷部の底縁部５ａ及びフラップの上縁部６ｂには切込破線が形成されていない。取っ手の上縁部４ａ及び取っ手の内側縁部４ｂ及び前記フラップの両側縁部６ａに切込破線が形成されている。【選択図】  図１
2006335455.tif 000002
【特許請求の範囲】
【請求項１】
多数枚の袋体が切込破線により一連に連結された連続袋体が巻き取られ、前記切込破線からの切り離しによって、袋体の開口部の両側に取っ手を形成させると共に、この両取っ手の間に谷部を介してフラップを形成させるように、前記切込破線が形成されているロール状連続袋体であって、
前記谷部の底縁部及びフラップの上縁部には切込破線が形成されず、
前記取っ手の上縁部及び取っ手の内側縁部及び前記フラップの両側縁部に切込破線が形成されていることを特徴としたロール状連続袋体。
【請求項２】
前記取っ手の上縁部を形成させる切込破線の間隔が、前記取っ手の内側縁部を形成させる切込破線の間隔及び前記フラップの両側縁部を形成させる切込破線の間隔よりも小さく形成されている請求項１記載のロール状連続袋体。
【発明の詳細な説明】
【技術分野】
【０００１】
本発明は、ゴミ袋や買物袋等として利用され、多数枚の袋体を切込破線により一連に連結させた連続袋体を巻き取ったロール状連続袋体に関し、特に、切込破線の形成技術に関する。
【背景技術】
【０００２】
従来、ゴミ袋や買物袋等として使用されるロール状連続袋体が知られている（特許文献１参照）。
【０００３】
このロール状連続袋体は、図２に示すように、多数枚の袋体１を切込破線２により一連に連結させた連続袋体１０を巻き取ったものである。
前記連続袋体１０は、多数枚の袋体１が切込破線２により連結されて一連の帯状に連続したもので、両側部にガゼット部１１，１１を折り込んだ筒状プラスチックフイルムに、全幅に亘って袋底溶着部３を一定間隔で形成すると共に、この袋底溶着部３近接して前記切込破線２を形成したものとなっている。
【０００４】
この場合、前記切込破線２からの切り離しによって、袋体１の開口部の両側に取っ手４，４を形成させると共に、この両取っ手４，４の間に谷部５，５を介してフラップ６を形成させるように、この切込破線２が形成されるもので、前記取っ手４の上縁部、取っ手４の内側縁部、前記谷部５の底縁部、前記フラップ６の両側縁部、フラップ６の上縁部を描くように切込破線２が連続して形成されている。
【０００５】
なお、ロール状連続袋体をコンパクトにするために、連続袋体１０の両縁部分を内側に折込んでロール状に巻き取るようにしている。
また、連続袋体１０の材質は、ポリエチレン樹脂やポリプロピレン樹脂が用いられている。
【０００６】
しかしながら、従来のロール状連続袋体にあっては、切込破線２から袋体１を切り離す際に、図３に示すように、フラップ６の上縁部から次の袋体１の底部に至るように裂け破れ９１が生じることがあり、これは、フラップ６の上縁部に引っ張り力が集中すると共に、そこに切込破線２が形成されているため、その切れ目に応力が集中し、そこから裂けていくのが主な原因である。
【０００７】
また、取っ手４及びフラップ６を形成させた袋体では、図４に示すように、取っ手４を外側に広げるような引張力Ｆが加わると、取っ手４とフラップ６との間に形成した谷部５に裂け破れ９２が生じることがあり、これは、谷部５の底縁部に応力が集中すると共に、そこに切込破線２が形成されているため、その切れ目に応力が集中し、そこから裂けていくのが主な原因である。
【特許文献１】特開２００１−２０８２号公報
【発明の開示】
【発明が解決しようとする課題】
【０００８】
本発明は、切込破線の形成の仕方を工夫することにより、この切込破線の切れ目に応力が集中することを原因とした裂け破れを防止することができるようにしたロール状連続袋体を提供することを課題としている。
【課題を解決するための手段】
【０００９】
上記の課題を解決するため、本発明（請求項１）のロール状連続袋体は、
多数枚の袋体が切込破線により一連に連結された連続袋体が巻き取られ、前記切込破線からの切り離しによって、袋体の開口部の両側に取っ手を形成させると共に、この両取っ手の間に谷部を介してフラップを形成させるように、前記切込破線が形成されているロール状連続袋体であって、
前記谷部の底縁部及びフラップの上縁部には切込破線が形成されず、
前記取っ手の上縁部及び取っ手の内側縁部及び前記フラップの両側縁部に切込破線が形成されている構成とした。
【００１０】
本発明（請求項２）のロール状連続袋体は、
前記請求項１記載のロール状連続袋体において、前記取っ手の上縁部を形成させる切込破線の間隔が、前記取っ手の内側縁部を形成させる切込破線の間隔及び前記フラップの両側縁部を形成させる切込破線の間隔よりも小さく形成されている態様とした。
【発明の効果】
【００１１】
本発明（請求項１）では、谷部の底縁部及びフラップの上縁部に切込破線を形成させていない。
従って、袋体を切り離す際に、フラップの上縁部に引っ張り力が集中しても、そこに切込破線が形成されていないため、切込破線が形成されていた従来と比べて裂け難くなる。
また、取っ手を外側に広げるような引張力が加わることで、谷部の底縁部に応力が集中しても、そこに切込破線が形成されていないため、切込破線が形成されていた従来と比べて裂け難くなる。
このように、本発明のロール状連続袋体は、切込破線から裂け破れてしまうといった不具合を防止でき、信頼性の高い商品として提供できる。
【００１２】
又、本発明（請求項２）では、取っ手の上縁部を形成させる切込破線の間隔を小さく形成して、その部分を他の部分よりも切り離し易く形成させている。
この取っ手の上縁部を形成させる切込破線の端部は、連続袋体の端縁に達しているため、切り離しに際しては、その切込破線が先に切れることによって連続袋体の端縁から切込破線に沿いながら内向きに切れていくことなり、その切り離しをスムーズに行なうことができる。
【発明を実施するための最良の形態】
【００１３】
図１は実施例のロール状連続袋体の要部を示す平面図である。
このロール状連続袋体は、切込破線２に特徴があるもので、その他の構成は、前記図２で示したロール状連続袋体と同様の構成であるため、図面の符合を同一にして、その説明を省略する。
【００１４】
前記切込破線２は、この切込破線２からの切り離しによって、袋体１の開口部の両側に取っ手４，４を形成させると共に、この両取っ手４，４の間に谷部５，５を介してフラップ６を形成させるように形成される。
この場合、前記取っ手４の上縁部４ａ、取っ手４の内側縁部４ｂ、前記谷部５の底縁部５ａ、前記フラップ６の両側縁部６ａ、フラップ６の上縁部６ｂを描くように切込破線２が連続して形成されている。
【００１５】
そして、前記谷部５，５の底縁部及びフラップ６の上縁部については、切込破線を形成させず、取っ手４の上縁部４ａ及び取っ手４の内側縁部４ｂ及び前記フラップ６の両側縁部６ａ，６ａに切込破線を形成させている。
【００１６】
又、取っ手４の上縁部４ａを形成させる切込破線４０の間隔Ａを、前記取っ手４の内側縁部４ｂを形成させる切込破線４１の間隔Ｂよりも小さく形成させ、かつこの取っ手４の内側縁部４ｂを形成させる切込破線４１の間隔Ｂをフラップ６の両側縁部６ａを形成させる切込破線６０の間隔Ｃよりも小さく形成させている（Ａ＜Ｂ＜Ｃ）。
なお、切込破線の間隔とは、切れ目と切れ目の間の幅をいうもので、この切込破線の間隔が小さくなるほど切れ目の密度が増加するため、切り離し難くなる。
【００１７】
本実施例のロール状連続袋体は、谷部５の底縁部５ａ及びフラップ６の上縁部６ｂに切込破線を形成させていない点に特徴がある。
【００１８】
即ち、袋体１を切り離す際に、フラップ６の上縁部６ｂに引っ張り力が集中しても、そこに切込破線が形成されていないため裂け難い。
【００１９】
また、取っ手４を外側に広げることで、谷部５の底縁部５ａに応力が集中しても、そこに切込破線が形成されていないため裂け難い。
【００２０】
又、取っ手４の上縁部４ａを形成させる切込破線４０の間隔Ａと、取っ手４の内側縁部４ｂを形成させる切込破線４１の間隔Ｂと、フラップ６の両側縁部６ａ，６ａを形成させる切込破線６０の間隔Ｃを、Ａ＜Ｂ＜Ｃに形成させたので、連続袋体１０は、その端縁側ほど切れ目の密度が増加するため、切り離し難くなり、強度を持たせることができる。
【００２１】
なお、本発明において、連続袋体を構成する袋体は、ゴミ袋、買い物用袋、水きり袋、その他の収納用袋等、その用途に制限はなし、又、両縁部分に折込形成するガゼットの有無や袋体サイズに制限はない。
【図面の簡単な説明】
【００２２】
【図１】実施例のロール状連続袋体の要部を示す平面図である。
【図２】従来のロール状連続袋体を示す斜視図である。
【図３】従来の問題点を説明するための斜視図である。
【図４】従来の問題点を説明するための平面図である。
【符号の説明】
【００２３】
１  袋体
１０  連続袋体
１１  ガゼット部
２  切込破線
３  袋底溶着部
４  取っ手
４ａ  取っ手の上縁部
４０  切込破線
４ｂ  取っ手の内側縁部
４１  切込破線
５  谷部
５ａ  谷部の底縁部
６  フラップ
６ａ  フラップの側縁部
６０  切込破線
６ｂ  フラップの上縁部
【図１】
2006335455.tif 000003
【図２】
2006335455.tif 000004
【図３】
2006335455.tif 000005
【図４】
2006335455.tif 000006